(57)【要約】【課題】  仮設足場に取り付けする際、別体の取付用部品が不要で製品管理が容易であり、仮設足場に対する取り付け状態を長期にわたって良好な状態に維持可能な仮設足場用養生シートを提供すること。【解決手段】  仮設足場の外表面を覆うようにして配設される仮設足場用養生シート１０であって、矩形に形成されたシート体１２の第１外周辺１２Ａには、第１外周辺１２Ａの長手方向に沿って所要間隔をあけて第１ベルト１４Ａが配設され、第１外周辺１２Ａに向かい合う位置の第２外周辺１２Ｂには、第１外周辺１２Ａの長手方向における第１ベルト１４Ａの配設位置に位置合わせした状態でベルト締結体１６を有する第２ベルト１４Ｂが配設されていることを特徴とする。【選択図】図１
0003207449.tif 000002
【実用新案登録請求の範囲】
【請求項１】
仮設足場の外表面を覆うようにして配設することにより前記仮設足場を養生するための仮設足場用養生シートであって、
矩形に形成されたシート体の外周辺のうちの第１外周辺には、前記第１外周辺の長手方向に沿って所要間隔をあけて第１ベルトが配設されていて、
前記第１外周辺に向かい合う位置の第２外周辺には、前記第１外周辺の長手方向における前記第１ベルトの配設位置に位置合わせした状態でベルト締結体を有する第２ベルトが配設されていることを特徴とする仮設足場用養生シート。
【請求項２】
前記ベルト締結体は、前記第１ベルトの一方の端部にも取り付けられていることを特徴とする請求項１記載の仮設足場用養生シート。
【請求項３】
前記第２ベルトは、
下側端縁の高さ位置が前記第１ベルトの上側端縁の高さ位置と等しい高さ位置、または、上側端縁の高さ位置が前記第１ベルトの下側端縁の高さ位置と等しい高さ位置に配設されていることを特徴とする請求項１または２記載の仮設足場用養生シート。
【請求項４】
前記シート体の第３外周辺には、前記第３外周辺の長手方向に沿って所要間隔をあけて第３ベルトが配設されていて、
前記第３外周辺に向かい合う位置の第４外周辺には、前記第３外周辺の長手方向における前記第３ベルトの配設位置に位置合わせした状態でベルト締結体を有する第４ベルトが配設されていることを特徴とする請求項１〜３のうちのいずれか一項に記載の仮設足場用養生シート。
【請求項５】
前記ベルト締結体は、前記第３ベルトの一方の端部にも取り付けられていることを特徴とする請求項４記載の仮設足場用養生シート。
【請求項６】
前記第４ベルトは、
右側端縁の位置が前記第３ベルトの左側端縁の位置と等しい位置、または、左側端縁の位置が前記第３ベルトの右側端縁の位置と等しい位置に配設されていることを特徴とする請求項４または５記載の仮設足場用養生シート。
【請求項７】
前記シート体の外周辺には、磁気吸着具が取り付けられていることを特徴とする請求項１〜６のうちのいずれか一項に記載の仮設足場用養生シート。
【請求項８】
前記磁気吸着具は、少なくとも前記第１外周辺と前記第２外周辺に取り付けられていることを特徴とする請求項７記載の仮設足場用養生シート。
【請求項９】
前記シート体には、前記仮設足場に配設された筋交の位置に位置合わせしてベルト締結体を有する第５ベルトが配設されていることを特徴とする請求項１〜８のうちのいずれか一項に記載の仮設足場用養生シート。
【考案の詳細な説明】
【技術分野】
【０００１】
本考案は仮設足場用養生シートに関する。
【背景技術】
【０００２】
建物の建設現場には仮設足場が構築されることが多い。建設現場においては、仮設足場の内側部分で発生した騒音やほこりが仮設足場の外側空間に漏れ出さないようにするため、仮設足場の外表面には仮設足場を覆うようにして仮設足場用養生シートが取り付けられている。このような仮設足場用養生シートは、特許文献１に開示されているように、シート体の外周辺にハト目が所要間隔をあけて配設されていて、紐状体をハト目に通して仮設足場の支柱である単管に縛りつけることにより取り付けされていることが多い。
【先行技術文献】
【特許文献】
【０００３】
【特許文献１】特許第２５９０６７２号公報
【考案の概要】
【考案が解決しようとする課題】
【０００４】
このように、従来構成の仮設足場用養生シートを仮設足場に取り付けする際には、シート体とは別体の紐状体が取付用部品として必要になる。つまり、仮設足場用養生シートの取り扱いをするにあたり部品数が増えてしまうと共に、紐状体の更新や補充が頻繁に発生するため製品コストが高騰する要因になるといった課題がある。また、シート体１枚に対して複数本の紐状体を複数のハト目に挿通させなければならず、仮設足場用養生シートの設置や撤去に関するコストアップの要因にもなるといった課題がある。さらには、仮設足場用養生シートを長期間にわたって使用すると、シート体を取り付けている紐状体が緩んだり切れたりすることがあり、仮設足場に対してシート体が不適切な状態で取り付けられた状態になってしまうといった課題もある。
【０００５】
本考案は上記課題を解決すべくなされたものであり、シート体を仮設足場に取り付けする際に、紐状体に代表される取付用部品を別途手配する必要がなく製品管理が容易であって、しかも、シート体の仮設足場に対する取り付け状態を長期にわたって良好な状態に維持することが可能な仮設足場用養生シートの提供を目的としている。
【課題を解決するための手段】
【０００６】
上記課題を解決するために本考案者が鋭意研究した結果、以下の構成に想到した。
すなわち本考案は、仮設足場の外表面を覆うようにして配設することにより前記仮設足場を養生するための仮設足場用養生シートであって、矩形に形成されたシート体の第１外周辺には、前記第１外周辺の長手方向に沿って所要間隔をあけて第１ベルトが配設されていて、前記第１外周辺に向かい合う位置の第２外周辺には、前記第１外周辺の長手方向における前記第１ベルトの配設位置に位置合わせした状態でベルト締結体を有する第２ベルトが配設されていることを特徴とする仮設足場用養生シートである。
【０００７】
これにより、取付用部品を別途手配する必要がなく、製品管理が容易であって、しかも、シート体の仮設足場に対する取り付け状態を長期にわたって良好な状態に維持することが可能になる。
【０００８】
また、前記ベルト締結体は、前記第１ベルトの一方の端部にも取り付けられていることが好ましい。
【０００９】
これにより、仮設足場用養生シートが仮設足場の端部に位置する場合であっても、取付用部品を別途準備する必要がなく、使い勝手をさらに良好にすることができる。
【００１０】
また、前記第２ベルトは、下側端縁の高さ位置が前記第１ベルトの上側端縁の高さ位置と等しい高さ位置、または、上側端縁の高さ位置が前記第１ベルトの下側端縁の高さ位置と等しい高さ位置に配設されていることが好ましい。
【００１１】
これにより、仮設足場用養生シートを仮設足場に取り付けする際において、第１ベルトと第２ベルトとを用いた横方向の仮設足場用養生シートどうしの連結作業を容易に行うことができ、取り付け後の外観状態も良好なものにすることができる。
【００１２】
また、前記シート体の第３外周辺には、前記第３外周辺の長手方向に沿って所要間隔をあけて第３ベルトが配設されていて、前記第３外周辺に向かい合う位置の第４外周辺には、前記第３外周辺の長手方向における前記第３ベルトの配設位置に位置合わせした状態でベルト締結体を有する第４ベルトが配設されていることが好ましい。
【００１３】
また、前記ベルト締結体は、前記第３ベルトの一方の端部にも取り付けられていることが好ましい。
【００１４】
これにより、仮設足場用養生シートが仮設足場の端部に位置する場合であっても、取付用部品を別途準備する必要がなく、使い勝手をさらに良好にすることができる。
【００１５】
また、前記第４ベルトは、右側端縁の位置が前記第３ベルトの左側端縁の位置と等しい位置、または、左側端縁の位置が前記第３ベルトの右側端縁の位置と等しい位置に配設されていることがさらに好ましい。
【００１６】
これらにより、仮設足場用養生シートを仮設足場に取り付けする際において、第３ベルトと第４ベルトとを用いた縦方向の仮設足場用養生シートどうしの連結作業を容易に行うことができ、取り付け後の外観状態も良好なものにすることができる。
【００１７】
また、前記シート体の外周辺には、磁気吸着具が取り付けられていることが好ましく、少なくとも前記第１外周辺と前記第２外周辺に取り付けられていることがより好ましい。
【００１８】
これらにより、隣接するシート体の外周辺どうしを密着させた状態にすることができるので、強風時においてもシート体の外周辺部分どうしがはだけてしまうことを防止し、仮設足場用養生シートの取り付け状態の外観を良好にすることができる。
【００１９】
また、前記シート体には、前記仮設足場に配設された筋交の位置に位置合わせしてベルト締結体を有する第５ベルトが配設されていることが好ましい。
【００２０】
これにより、シート体の外周辺だけでなくシート体の内側部分も仮設足場の一部に固定することができるため、仮設足場用養生シートの取り付け状態の外観をさらに良好にすることができる。
【考案の効果】
【００２１】
本考案にかかる仮設足場用養生シートの構成を採用することにより、仮設足場への取り付け用の部品を別途手配する必要がなく、取り扱いが容易になると共に製品コストの高騰を防止することができる。また、仮設足場に対するシート体の取り付け状態を長期にわたって良好な状態に維持することが可能になるため、使用時における仮設足場用養生シートの維持管理に要するメンテナンスを大幅に低減させることもできる。
【図面の簡単な説明】
【００２２】
【図１】第１実施形態における仮設足場用養生シートを示す正面図である。
【図２】第１実施形態における仮設足場用養生シートの変形例を示す正面図である。
【図３】第１実施形態における仮設足場用養生シートの変形例を示す正面図である。
【図４】仮設足場用養生シートの仮設足場への取り付け時における状態を示す説明図である。
【図５】仮設足場用養生シートの仮設足場への取り付け時における状態を示す説明図である。
【図６】仮設足場用養生シートの仮設足場への取り付け時における状態を示す説明図である。
【図７】第２実施形態における仮設足場用養生シートを示す正面図である。
【図８】第３実施形態における仮設足場用養生シートを示す正面図である。
【図９】第４実施形態における仮設足場用養生シートを示す正面図である。
【考案を実施するための形態】
【００２３】
以下、本考案にかかる洗浄機の実施形態について、図面に基づいて具体的に説明する。
【００２４】
（第１実施形態）
図１に示すように、第１実施形態における仮設足場用養生シート１０は、シート体１２と、第１ベルト１４Ａと、第２ベルト１４Ｂを有する。シート体１２は、メッシュ地の合成樹脂製シート製で、縦３４００ｍｍ、横１８００ｍｍの矩形（長方形）に形成されており、取り付け対象である仮設足場２０の基本ユニット（いわゆる枠組み足場材を縦２つおよび横２つに並べて組み合わせたもの）の縦寸法および横寸法と略同じ大きさになっている。シート体１２の第１外周辺１２Ａ，第２外周辺１２Ｂ，第３外周辺１２Ｃ，第４外周辺１２Ｄには、いずれも所要幅寸法で折り畳まれたいわゆる耳部１３が形成されている。ここでは、第２外周辺１２Ｂ（と第４外周辺１２Ｄ）における耳部１３の幅寸法（ここでは１０ｃｍとした）を他の位置における耳部１３の幅寸法（ここでは５ｃｍとした）よりも幅広に形成し、隣接する仮設足場用養生シート１０Ａ，１０Ｂどうしを連結する際において確実に重複部を形成することができるようにしている。
【００２５】
シート体１２の長手方向の第１外周辺１２Ａには、第１外周辺１２Ａの長手方向において所要間隔をあけて第１ベルト１４Ａが配設されている。第１ベルト１４Ａは一方の端部が先細り形状に形成されていて、他方の端部位置でシート体１２に縫製等の公知の手段により固定されている。ここでは第１ベルト１４Ａのシート体１２への縫製位置を第１外周辺１２Ａの耳部１３位置にしているが、耳部１３よりもシート体１２の内側位置にすることもできる。
【００２６】
シート体１２の長手方向の第２外周辺１２Ｂには、第２外周辺１２Ｂの長手方向において、第１外周辺１２Ａに取り付けられている第１ベルト１４Ａの配設位置に位置合わせした状態で第２ベルト１４Ｂが取り付けられている。第２ベルト１４Ｂは第２外周辺１２Ｂの耳部１３のシート体１２側部分に縫製等の公知の手段により取り付けられている。図１中の横方向の破線に示すように第２ベルト１４Ｂの高さ位置は、第２ベルト１４Ｂの下側端縁の高さ位置を第２ベルト１４Ｂに対向する位置における第１ベルト１４Ａの上側端縁の高さ位置と等しい高さ位置に位置合わせさせた状態でシート体１２に取り付けられている。このようにしてシート体１２に取り付けられた第２ベルト１４Ｂの先端部（自由端部）には、ベルト締結体１６が取り付けられている。
【００２７】
なお、第２ベルト１４Ｂの上側端縁の高さ位置を第２ベルト１４Ｂに対向する位置における第１ベルト１４Ａの下側端縁の高さ位置と等しい高さ位置に位置合わせさせた状態でシート体１２に取り付けするようにしてもよい。さらには、図１に示す第１ベルト１４Ａの第１外周辺１２Ａ側の端部をシート体１２の内側に向けてベルト長を延長すると共に、延長側端部にベルト締結体１６を配設することもできる。また、第２ベルト１４Ｂの第２外周辺１２Ｂ側の端部をシート体１２の内側に向けてベルト長を延長させた形態に変形することもできる。
【００２８】
また、図１に示すように、シート体１２の第１外周辺１２Ａとこれに対向する第２外周辺１２Ｂに、それぞれの長手方向に沿って所要間隔をあけて複数の磁気吸着具１８を配設することもできる。磁気吸着具１８はシート体１２の耳部１３に公知の手段によって配設することができる。磁気吸着具１８は第１ベルト１４Ａの配設間隔を二分する位置（中間位置）および第２ベルト１４Ｂの配設間隔を二分する位置（中間位置）に配設されていることが好ましい。なお、磁気吸着具１８の配設は各外周辺において１つでも複数でも良く、あるいは、配設を省略することができる。
【００２９】
第１ベルト１４Ａと第２ベルト１４Ｂは、それぞれの長手方向を第１外周辺１２Ａおよび第２外周辺１２Ｂに対して直角に配設しているが、図２に示すように、第１ベルト１４Ａおよび第２ベルト１４Ｂの長手方向を第１外周辺１２Ａおよび第２外周辺１２Ｂに対して所要角度傾けた状態で取り付けるようにしてもよい。このとき、第１ベルト１４Ａと第２ベルト１４Ｂとが互いに平行になるようにシート体１２に取り付けられていれば、後述する仮設足場２０の縦部材２２への第１ベルト１４Ａおよび第２ベルト１４Ｂの装着が容易になり、さらに好都合である。
【００３０】
また、図１においては、第３外周辺１２Ｃと第３外周辺１４Ｃに対向する第４外周辺１４Ｄには耳部１３のみが配設された形態を示しているが、図２に示すように、シート体１２の短手方向の第３外周辺１２Ｃとこれに対向する第４外周辺１２Ｄにもそれぞれの長手方向に沿って磁気吸着具１８が配設された形態を採用することもできる。
【００３１】
さらには、図３に示すようなハト目１９を第３外周辺１２Ｃおよび第４外周辺１２Ｄに所要間隔をあけて配設することもできる。ハト目１９を配設したシート体１２は、仮設足場２０（の横部材）に吊り下げられた図示しない吊り下げフックを用いて個別に仮設足場２０に取り付けることができる。
【００３２】
次に、図４〜図６を参照しながら、図１に示した仮設足場用養生シート１０の仮設足場２０への取り付け方法について説明をする。仮設足場用養生シート１０の第１〜第４外周辺１２Ａ〜１２Ｄはいずれも仮設足場２０を構成するいわゆる枠組み足場の外側位置で隣接する他の仮設足場用養生シート１０と連結されることになる。
【００３３】
図４に示すように、仮設足場２０を構成する枠組み足場の縦部材２２の位置において、一方の仮設足場用養生シート１０Ａの第１外周辺１２Ａに取り付けられている第１ベルト１４Ａを縦部材２２の外側の面に（図中矢印Ａの向きに）引き出す。次に、引き出した第１ベルト１４Ａを一方の仮設足場用養生シート１０Ａの横方向（水平方向）に隣接する他方の仮設足場用養生シート１０Ｂ側に向けて引き出すと共に、縦部材２２の外周面に沿いながら仮設足場２０の内側に引き出しする。これと同時に、他方の仮設足場用養生シート１０Ｂの第２外周辺１２Ｂに取り付けられている第２ベルト１４Ｂを縦部材２２の外側の面に（図中矢印Ａの向きに）引き出す。このとき、第２外周辺１２Ｂの耳部１３は一方の仮設足場用養生シート１０Ａよりも外側になるようにしておく。第２ベルト１４Ｂを一方の仮設足場用養生シート１０Ａ側に引っ張ると共に、縦部材２２の外周面に沿いながら仮設足場２０の内側に引き出しする。
【００３４】
先述のとおり第１ベルト１４Ａと第２ベルト１４Ｂとはシート体１２の高さ方向における取り付け位置がベルトの幅寸法分だけ上下方向（高さ方向）にずれているので、第１ベルト１４Ａと第２ベルト１４Ｂとによる縦部材２２への締め付けを確実に行うことができ、第１外周辺１２Ａの耳部１３と第２外周辺１２Ｂの耳部１３とを確実に横方向（水平方向）で重複させた状態にすることができる。
【００３５】
次に、図５に示すように、縦部材２２の外側から縦部材２２の表面に沿って縦部材２２の内側位置まで引き出してきた一方の仮設足場用養生シート１０Ａの第１ベルト１４Ａを他方の仮設足場用養生シート１０Ｂの第２ベルト１４Ｂの先端に取り付けられているベルト締結体１６に挿通させ、図５中の矢印Ｂの方向に引っ張る。
【００３６】
第１ベルト１４Ａを図５中の矢印Ｂの向きに引っ張り切った状態を図６に示す。第１ベルト１４Ａは第１外周辺１２Ａの耳部１３の幅方向全体に縫製されているので、一方の仮設足場用養生シート１０Ａの第１ベルト１４Ａが引っ張られると、一方の仮設足場用養生シート１０Ａの第１外周辺１２Ａは、縦部材２２の外側位置において他方の仮設足場用養生シート１０Ｂの第２外周辺１２Ｂと縦部材２２との間に引き込まれることになる。
【００３７】
これに対して第２ベルト１４Ｂは、第２外周辺１２Ｂの耳部１３の幅方向の一部にのみ縫い付けられているので、第２外周辺１２Ｂは図５に示すような状態になるが、第１外周辺１２Ａおよび第２外周辺１２Ｂの耳部１３に配設されている磁気吸着具１８によりこれにより、隣接する仮設足場用養生シート１０Ａ，１０Ｂは所要の範囲Ｗにわたってシート体１２の幅寸法の一部（耳部１３）どうしを重複させた状態で縦部材２２の外表面側で連結されることになる。このシート体１２どうしが重複する範囲Ｗは、第１外周辺１２Ａに対する第１ベルト１４Ａの取り付け位置と、第２外周辺１２Ｂに対する第２ベルト１４Ｂの取り付け位置を適宜調整することにより任意の範囲Ｗに設定することができる。
【００３８】
また、一方の仮設足場用養生シート１０Ａと他方の仮設足場用養生シート１０Ｂの高さ方向（縦方向）の固定は、第３外周辺１２Ｃおよび第４外周辺１２Ｄに配設された磁気吸着具１８により、仮設足場２０の図示しない横部材に吸着させればよい。また、高さ方向において隣り合う仮設足場用養生シート１０において、上側に位置する仮設足場用養生シート１０の第３外周辺１２Ｃに配設されている磁気吸着具１８と、下側の位置する仮設足場用養生シート１０の第４外周辺１２Ｄに配設されている磁気吸着具１８とを互いに吸着させるようにしてもよい。このようにすることで、高さ方向においても離接する仮設足場用養生シート１０どうしを互いの耳部１３を重複させた状態で連結させることができる。
【００３９】
このように、一方の仮設足場用養生シート１０Ａと他方の仮設足場用養生シート１０Ｂとは、一方の第１外周辺１２Ａと他方の第２外周辺１２Ｂにおける複数箇所で一方の第１ベルト１４Ａとベルト締結体１６を有する第２ベルト１４Ｂとによって互いのシート体１２の耳部１３を重複させた状態で連結することができる。このように従来技術のような仮設足場用養生シート１０Ａ，１０Ｂどうしを連結する際において紐状体（取付用部品）を準備する必要がない（仮設足場２０の端部への取り付け位置のみ別途紐状体が必要）ため、仮設足場２０への仮設足場用養生シート１０の取り付け作業を簡単に行うことができる。また、仮設足場２０への取り付け時に別体の取付用部品を多数手配する必要がないから、製品管理が容易でランニングコストを低減させることができるといったメリットもある。
【００４０】
また、仮設足場２０の縦部材２２の外周面に掛け渡した第１ベルト１４Ａと第２ベルト１４Ｂとについて、第２ベルト１４Ｂに取り付けられているベルト締結体１６を用いて第１ベルト１４Ａを締結している。これにより、仮設足場用養生シート１０を仮設足場２０の外表面に覆うようにして取り付けした後は、強風の吹き付けや時間経過によっても、仮設足場２０への仮設足場用養生シート１０の取り付けが緩んでしまうことがなく、仮設足場用養生シート１０による仮設足場２０の養生は、長期間にわたって良好な状態を維持させることができる。たとえ仮設足場２０への仮設足場用養生シート１０の養生状態が崩れてしまったとしても、第１ベルト１４Ａを第２ベルト１４Ｂのベルト締結体１６に締め付け直すだけで元通りの養生状態にすることができる点においても好都合である。
【００４１】
（第２実施形態）
図７は第２実施形態における仮設足場用養生シート１０の正面図である。本実施形態においては、第１実施形態と同一の構成については第１実施形態で使用した符号を共通させることによりここでの詳細な説明を省略している。本実施形態における仮設足場用養生シート１０は、図７に示すように、第３外周辺１２Ｃに第３ベルト１４Ｃを配設し、第４外周辺にベルト締結体１６を有する第４ベルト１４Ｄが第３ベルト１４Ｃに対して所定位置に位置決めされた状態で配設されている点において第１実施形態と構成を異にしている。
【００４２】
ここでは、図７内の縦方向の一点鎖線で示すように、第４ベルト１４Ｄは、第４ベルト１４Ｄの右側端縁の位置が第３ベルト１４Ｃの左側端縁の位置と等しい位置となるように位置決めされた状態でシート体１２に取り付けされている。この他、第４ベルト１４Ｄの左側端縁の位置を第３ベルト１４Ｃの右側端縁の位置と等しい位置となるように位置決めしてシート体１２に取り付けるようにしてもよい。
【００４３】
このような実施形態を採用することにより、第１実施形態で説明した横方向における仮設足場用養生シート１０Ａ，１０Ｂの連結方法と同様にして、高さ方向において隣接する仮設足場用養生シート１０の連結を行うことができる。
【００４４】
（第３実施形態）
図８は第３実施形態における仮設足場用養生シート１０の正面図である。本実施形態においては、第１実施形態および第２実施形態と同一の構成についてはそれぞれにおいて使用した符号を共通させることによりここでの詳細な説明を省略している。本実施形態における仮設足場用養生シート１０は、図８に示すように全ての外周辺（第１外周辺１２Ａ，第２外周辺１２Ｂ，第３外周辺１２Ｃ，第４外周辺１２Ｄ）に一方の端部が先細で他方の端部にベルト締結体１６が取り付けられたベルト（第１ベルト１４Ａ，第２ベルト１４Ｂ，第３ベルト１４Ｃ，第４ベルト１４Ｄ）が取り付けられている。
【００４５】
このような実施形態を採用することにより、仮設足場２０の端部位置であっても、紐状体を用いることなく仮設足場２０に仮設足場用養生シート１０を取り付けすることができる点において好都合である。この場合、シート体１２の耳部１３への磁気吸着具１８やハト目１９の配設を省略することもできる。
【００４６】
（第４実施形態）
図９は第４実施形態における仮設足場用養生シート１０の正面図である。本実施形態においては、第１実施形態ないし第３実施形態と同一の構成についてはそれぞれにおいて使用した符号を共通させることによりここでの詳細な説明を省略している。本実施形態における仮設足場用養生シート１０は、図９に示すように、仮設足場２０に取り付けられた筋交２４の交差位置にベルト締結体１６を有する第５ベルト１４Ｅが配設されている。本実施形態では、第５ベルト１４Ｅの一方の端部にはベルト締結体１６が取り付けられており、第５ベルト１４Ｅの長手方向の中途位置において、縫製等の公知の手段によりシート体１２に第５ベルト１４Ｅを固定している。
【００４７】
このような形態を採用することにより、仮設足場２０に対する仮設足場用養生シート１０の取り付け箇所を増やすことができる。これにより、仮設足場用養生シート１０と仮設足場２０との密着度を高めることができ、強風時等においても仮設足場用養生シート１０のばたつきを抑えることができる点において好都合である。
【００４８】
なお、図９においては、筋交２４の交差位置にベルト締結体１６を有する第５ベルト１４Ｅを配設した形態について説明しているが、筋交２４に掛け渡しすることができる位置であれば筋交２４が交差する位置以外の位置に第５ベルト１４Ｅを適宜配設することができる。このときベルト締結体１６を有する第５ベルト１４Ｅは複数箇所に配設することが好ましい。
【００４９】
また、図９では、第５ベルト１４Ｅの一方の端部にベルト締結体１６を取り付け、第５ベルト１４Ｅの長手方向の中途位置でシート体１２に取り付けした形態を示しているが、ベルト締結体１６を第５ベルト１４Ｅから独立させた状態で、第５ベルト１４Ｅが締結可能な位置に配設することもできる。このとき、第５ベルト１４Ｅは長手方向における一方の端部位置でシート体１２に取り付けすればよい。
【００５０】
以上、本考案にかかる仮設足場用養生シート１０について実施形態に基づいて詳細に説明したが、本考案にかかる仮設足場用養生シート１０の構成は、本実施形態に示した構成に限定されるものではない。たとえば、以上の実施形態においては、仮設足場用養生シート１０の平面寸法について具体的な寸法を示して説明しているが、飽くまで一例であり、平面寸法は適宜変更することができる。また、シート体１２はメッシュ地の合成樹脂製シート製に限定されるものではなく、帆布等の他の素材により形成されたものであってもよい。
【００５１】
また、第１ベルト１４Ａとこれに対応する第２ベルト１４Ｂとの配設をシート体１２の高さ方向において、第３ベルト１４Ｃとこれに対応する第４ベルト１４Ｄとの配設をシート体１２の幅方向において、それぞれ互いに離反させた位置に配設した形態を採用することもできる。第１ベルト１４Ａは第２ベルト１４Ｂのベルト締結体１６に締結させることができればよく、第３ベルト１４Ｃは第４ベルト１４Ｄのベルト締結体１６に締結させることができればよい。
【００５２】
さらには、以上の実施形態と、明細書中に記載した変形例とを適宜組み合わせた仮設足場用養生シート１０の形態を採用することも可能である。
【符号の説明】
【００５３】
１０  仮設足場用養生シート，
１２  シート体，
１２Ａ  第１外周辺，１２Ｂ  第２外周辺，１２Ｃ  第３外周辺，１２Ｄ  第４外周辺，
１３  耳部，
１４Ａ  第１ベルト，１４Ｂ  第２ベルト，１４Ｃ  第３ベルト，１４Ｄ  第４ベルト，
１４Ｅ  第５ベルト，
１６  ベルト締結体，
１８  磁気吸着具，１９  ハト目，
２０  仮設足場，２２  縦部材，２４  筋交
【図１】
0003207449.tif 000003
【図２】
0003207449.tif 000004
【図３】
0003207449.tif 000005
【図４】
0003207449.tif 000006
【図５】
0003207449.tif 000007
【図６】
0003207449.tif 000008
【図７】
0003207449.tif 000009
【図８】
0003207449.tif 000010
【図９】
0003207449.tif 000011